(57)【特許請求の範囲】
【請求項１】
底壁(1)の周囲に、側壁(2)及びこれとコーナー部を挟んで隣り合う端壁(3)を連設し、側壁(2)を底壁(1)に順次繋がる外側板(4)、頂板(5)及び内側板(6)から構成し、端壁(3)から延びる折込片(7)を外側板(4)と内側板(6)との間に挟み込んで保形する段ボール製トレーにおいて、前記外側板(4)を、高さ方向の中間部で水平方向に延びる折目線(8)に沿って山折りすることにより、外側へ屈曲させ、側壁(2)と端壁(3)とがなすコーナー部の上端に積上突起(9)を、下端に積上穴(10)を段積み時に係合するように設けて、この積上突起(9)を折込片(7)及び外側板(4)の突出部(9b,9c)から形成し、外側板(4)の折目線(8)より上方の部分全体の傾斜に伴い、外側板(4)の突出部(9c)の上端が折込片(7)の突出部(9b)に突き当たるようにし、前記折込片(7)の下端縁に係合突起(7a)を設け、この係合突起(7a)を、内側板(6)の先端縁に設けた係合突起(6a)と共に、底壁(1)の側壁(2)との境界部に設けた係合穴(1a)に係合させたことを特徴とする段ボール製トレー。
【発明の詳細な説明】
【技術分野】
【０００１】
この発明は、青果物の運搬や陳列等に適した段ボール製トレーに関するものである。
【背景技術】
【０００２】
従来、下記特許文献１には、図６に示すように、底壁５１の周囲に、側壁５２及びこれとコーナー部を挟んで隣り合う端壁５３を連設し、側壁５２を底壁５１に順次繋がる外側板５４、頂板５５及び内側板５６から構成し、端壁５３を底壁５１に順次繋がる外端板５７、頂板５８及び内端板５９から構成した段ボール製トレーが記載されている。
【０００３】
このトレーの形状は、外端板５７及び内端板５９からそれぞれ延びる折込片６０，６１を、外側板５４と内側板５６との間に挟み込んで、側壁５２及び端壁５３の起立状態を維持することにより保持される。
【０００４】
また、このトレーの特徴部分として、側壁５２には、外側板５４の上部及び下部を水平方向に延びる折目線６２に沿って折り曲げることにより、傾斜した面取り部６３が形成され、端壁５３は、底壁５１の端縁との間に介在する折返板６４の折り返しにより、底壁５１及び側壁５２の端縁から内側へ後退している。
【０００５】
そのほか、側壁５２の上端には、頂板５５の抜穴を貫通した折込片６１の突出部による積上突起６５が設けられ、側壁５２の下端と底壁５１との稜部には、段積み時に下段側トレーの積上突起６５が係合する積上穴６６が設けられている。
【０００６】
このようなトレーは、面取り部６３の存在及び端壁５３の後退により、青果物を収納した段積み状態で、面取り部６３に指を掛け、又は、端面の凹所に指を入れることにより、容易に持ち上げることができるだけでなく、特徴ある外観を呈するので、食品スーパーや市場での陳列に際し、顧客の注意を引きつけることができる。
【先行技術文献】
【特許文献】
【０００７】
【特許文献１】特許第３４３１７３９号公報
【発明の概要】
【発明が解決しようとする課題】
【０００８】
しかしながら、上記のような段ボール製トレーでは、想定外の大きな積上荷重が作用すると、側壁５２の外側板５４が座屈して、著しい変形が生じ、美観が損なわれるほか、内容物が傷むおそれがある。
【０００９】
そこで、この発明は、強度向上を図りつつ、顧客の注意を引きつけることができるようにすることを課題とする。
【課題を解決するための手段】
【００１０】
上記のような課題を解決するため、この発明は、底壁の周囲に、側壁及びこれとコーナー部を挟んで隣り合う端壁を連設し、側壁を底壁に順次繋がる外側板、頂板及び内側板から構成し、端壁から延びる折込片を外側板と内側板との間に挟み込んで保形する段ボール製トレーにおいて、前記外側板を、高さ方向の中間部で水平方向に延びる折目線に沿って山折りすることにより、外側へ屈曲させ、側壁と端壁とがなすコーナー部の上端に積上突起を、下端に積上穴を段積み時に係合するように設けて、この積上突起を折込片及び外側板の突出部から形成し、外側板の折目線より上方の部分全体の傾斜に伴い、外側板の突出部の上端が折込片の突出部に突き当たるようにしたのである。
【００１１】
また、前記折込片の下端縁に係合突起を設け、この係合突起を、内側板の先端縁に設けた係合突起と共に、底壁の側壁との境界部に設けた係合穴に係合させたのである。
【発明の効果】
【００１２】
この段ボール製トレーでは、外側板の屈曲により、段積み状態での陳列等に際し、顧客の注意を引き付けることができるほか、側壁と端壁がなすコーナー部において、積上突起を形成する外側板の突出部が突っ張り、外側板が内側板及び折込片と共に側面視三角形状を形成するので、大きな積上荷重が作用しても、外側板に座屈が生じにくく、美観が維持され、内容物が保護される。
【００１３】
また、折込片の係合突起を、内側板の係合突起と共に、底壁の側壁との境界部に設けた係合穴に係合させると、折込片及び内側板の反発が抑制されて、保形性が向上する。
【図面の簡単な説明】
【００１４】
【図１】この発明の実施形態に係る段ボール製トレーのブランクを示す図
【図２】同上の組立過程を示す斜視図
【図３】同上の組立状態を示す斜視図
【図４】図３のIV−IV線に沿った断面図
【図５】同上の段積み状態を示す斜視図
【図６】従来の段ボール製トレーの組立状態を示す斜視図
【発明を実施するための形態】
【００１５】
以下、この発明の実施形態を添付図面に基づいて説明する。
【００１６】
この段ボール製トレーは、図１に示すようなブランクから形成される。このブランクでは、長方形状の底壁１の一対の長辺に側壁２が連設され、一対の短辺に端壁３が連設されている。側壁２は、底壁１に順次繋がる外側板４、頂板５及び内側板６から構成され、端壁３の両側には、折込片７が連設されている。
【００１７】
外側板４の高さ方向の寸法は、内側板６の高さ方向の寸法より大きく設定され、外側板４には、高さ方向の中間部で水平方向に延びる折目線８が入れられている。折目線８は、押罫と切目とが交互に断続するリード罫とされている。
【００１８】
外側板４と内側板６の間隔となる頂板５の幅は、段ボール１枚分の厚さよりも少し大きい程度、すなわち、一般的な額縁構造のトレーの頂板の幅よりも狭いものとされている。
【００１９】
内側板６の先端縁には、各２個の係合突起６ａが設けられ、折込片７の組立時における下端縁には、係合突起７ａが設けられている。底壁１には、外側板４との境界に沿って、係合突起６ａに対応する位置に係合穴１ａが設けられている。
【００２０】
係合突起６ａ，７ａの突出量は、段ボール１枚分の厚さよりも少し大きく、すなわち、一般的な額縁構造のトレーの係合突起よりも長く設定され、係合穴１ａの外縁と内縁の間隔は、段ボール２枚分の厚さよりも少し大きく設定されている。
【００２１】
側壁２と端壁３とがなすコーナー部の上端となる部分には、端壁３と折込片７の境界部に突出部９ａ，９ｂが繋がって設けられ、外側板４に突出部９ｃが設けられている。コーナー部の下端となる部分には、Ｌ字状の積上穴１０が設けられている。
【００２２】
また、頂板５から外側板４及び内側板６にかけて、換気及び指入れ用の貫穴２ａが形成され、これに対応して、折込片７にも貫穴２ａが設けられている。
【００２３】
このようなブランクを組み立てるには、図２に示すように、底壁１から端壁３を起立させ、端壁３から折込片７を内側へ折り曲げ、係合突起７ａを係合穴１ａに係合させた状態で、外側板４を折目線８に沿って山折りしつつ、外側板４、頂板５及び内側板６を巻き込むように折り曲げる。
【００２４】
そして、図３及び図４に示すように、折込片７を外側板４と内側板６の間に挟み込み、係合突起６ａを係合突起７ａに重ねて係合穴１ａに係合させると、側壁２及び端壁３の起立状態が維持されて、このトレーは保形される。
【００２５】
このとき、側壁２と端壁３とがなすコーナー部の上端には、端壁３、折込片７及び外側板４の突出部９ａ，９ｂ，９ｃにより積上突起９が形成され、この積上突起９において、突出部９ａ，９ｂは直角に折れ曲がり、外側板４の折目線８より上方の部分全体の傾斜に伴い、突出部９ｃの上端が折込片７の突出部９ｂに突き当たる。
【００２６】
上記のような段ボール製トレーでは、青果物等を収納し、図５に示すように、段積み状態で、下段側トレーの積上突起９を上段側トレーの積上穴１０に係合させると、荷崩れすることがなく、この状態で食品スーパーや市場等で陳列すると、外側板４の屈曲により、陰影のある外観を呈し、顧客の注意を引き付けることができる。
【００２７】
また、側壁２と端壁３がなすコーナー部において、積上突起９を形成する外側板４の突出部９ｃが突っ張り、外側板４が内側板６及び折込片７と共に側面視三角形状を形成するので、大きな積上荷重が作用しても、外側板４に座屈が生じにくく、美観が維持され、内容物が保護される。
【００２８】
また、折込片７の係合突起７ａを、内側板６の係合突起６ａと共に、底壁１の側壁２との境界部に設けた係合穴１ａに係合させているので、折込片７及び内側板６の反発が抑制され、さらに、頂板５の幅を狭く設定したので、外側板４と内側板６の間で折込片７が締め付けられるように保持され、優れた保形性を得ることができる。
【００２９】
また、係合突起６ａを長く設定したので、側壁２が揺動して内側板６の下端が底壁１から浮き上がっても、係合突起６ａが係合穴１ａから抜け出すことがなく、側壁２が倒れて組立形状が崩れる現象が防止される。
【００３０】
なお、外側板４において、折目線８の上方と下方の高さ方向の寸法をあまり不均一にするのは、強度上好ましくなく、屈曲した外側板４と内側板６とが側面視二等辺三角形状を形成するのがよい。
【００３１】
また、外側板４を折目線８の位置であまり大きく外側へ張り出させるのは、輸送効率上好ましくなく、例えば、厚さ約３．５ｍｍのＢフルートの段ボールを使用する場合、内側板６より４〜８ｍｍ程度張り出させるようにするのがよい。
【００３２】
ところで、上記実施形態では、積上突起９を端壁３、折込片７及び外側板４の突出部９ａ，９ｂ，９ｃにより形成したが、端壁３の突出部９ａは省略してもよい。
【００３３】
この場合、端壁３を側壁２と同様の二重構造にして、側壁２から延びる折込片７を端壁３で挟み込むと共に、端壁３に側壁２と同様の積上突起９を設けるようにしてもよい。
【符号の説明】
【００３４】
１  底壁
１ａ  係合穴
２  側壁
２ａ  貫穴
３  端壁
４  外側板
５  頂板
６  内側板
６ａ  係合突起
７  折込片
７ａ  係合突起
８  折目線
９  積上突起
９ａ，９ｂ，９ｃ  突出部
１０  積上穴
【図１】
0005435276.tif 000002
【図２】
0005435276.tif 000003
【図３】
0005435276.tif 000004
【図４】
0005435276.tif 000005
【図５】
0005435276.tif 000006
【図６】
0005435276.tif 000007